(57)【要約】【課題】本発明は、操作つまみがバルブ機構を開く状態に設定されているとき、カセットボンベのガバナへの装着を簡単な構造の安全部材によって不能にする安全部材付きカセットコンロ用ガバナを提供しようとするものである。【解決手段】カセットボンベのガバナへの装着を不能にする安全部材が、その前後両端部を同一方向に９０度折り曲げられてガバナへの装着部とし、かつ装着部にガバナの前後面に回動自在に軸支するための貫通孔が穿たれ、さらに前部装着部の内側面に操作つまみの裏面に設けられた突起部に当接する突起片が設られ、また後部装着部の側面上部には後方に向かって突設された嵌合阻止バーを有し、 操作つまみがバーナーへのガス供給路を開いた状態の位置にあるとき、嵌合阻止バーが嵌合しようとするカセットボンベのフランジの前面に位置して嵌合を阻止してなる安全部材付きカセットコンロ用ガバナによる。【選択図】図１
2015040690.tif 000002
【特許請求の範囲】
【請求項１】
カセットボンベ（Ｇ）を嵌合し、カセットボンベ（Ｇ）からのガスのバーナーへの供給路を開閉するとともに、ガスバーナーへの点火、及びガス供給量の調節を行うための操作つまみ（２）とを備えたガバナ（１）であって、
前記操作つまみ（２）がガス供給路を開いた状態の位置にあるときには前記カセットボンベ（Ｇ）のガバナ（１）への嵌合を不能とし、ガス供給路が閉ざされた状態の位置にあるときには前記カセットボンベ（Ｇ）のガバナ（１）への装着を可能にする安全部材（３）を備えてなることを特徴とする安全部材付きカセットコンロ用ガバナ。
【請求項２】
安全部材（３）は、その前後両端部が同一方向に９０度折り曲げられてガバナ（１）への装着部（４ａ、４ｂ）を形成し、かつ前記装着部（４ａ、４ｂ）にガバナ（１）の前後面に回動自在に軸支されるための貫通孔（４ｃ）を穿設した板状のアーム(４）と、
前記アーム（４）前部の装着部（４ａ）の内側面には、前記操作つまみ（２）の裏面に設けられた突起部（２ａ）に当接する突起片（５）を有し、また、前記アーム（４）後部の装着部（４ｂ）の側面上部には後方に向かって突設された嵌合阻止バー（６）を有してなり、そのすべてが一体に形成されてなることを特徴とする請求項１に記載の安全部材付きカセットコンロ用ガバナ。
【請求項３】
安全部材（３）は、前部の装着部の貫通孔（４ｃ）に挿通して前記安全部材（３）をガバナ（１）に軸支するボルトに捲回された螺旋ばねによって前記後部の装着部（４ｂ）の嵌合阻止バー（６）が嵌合しようとするカセットボンベ（Ｇ）のフランジ（Ｇｆ）の前面に当接する方向に回転するよう付勢されており、操作つまみ（２）がガス供給路を閉じた状態の位置に回動されたとき、操作つまみ（２）の裏面の突起部が前記安全部材（３）の前部の装着部（４ａ）の突起片（５）に当接して押し上げ、安全部材（３）をばね力に抗して反時計方向に回動して前記嵌合阻止バー（６）をカセットボンベ（Ｇ）のフランジ（Ｇｆ）の前面に当接しない位置に移動させるよう構成されてなることを特徴とする請求項１又は請求項２に記載の安全部材付きカセットコンロ用ガバナ。
【発明の詳細な説明】
【技術分野】
【０００１】
本発明は、カセットボンベを嵌合し、カセットボンベからのガスのバーナーへの供給路を開閉するとともに、ガスバーナーへの点火、ガス供給量の調節を行う操作つまみとを備えたガバナに係り、前記操作つまみがガス供給路を開いた状態の位置にあるときには前記カセットボンベの嵌合を不能とする安全部材付きカセットコンロ用ガバナに関する。
【背景技術】
【０００２】
従来の卓上ガスコンロ（以下コンロと略記する）においては、カセットボンベからのコンロへのガス供給は、安全レバーを押し下げ、前記カセットボンベをガバナに嵌合させてカセットボンベのステムを押し込んでガス供給口を開くことによって行われるが、この際コンロの操作つまみがカセットボンベからのガスのバーナーへの供給路を開いた状態にあるとカセットボンベから供給されたガスがバーナーから放出される危険が伴う。したがって、このようなコンロにあっては、操作つまみがガスのバーナーへのガス供給路を開いた状態にあるときには前記安全レバーが押し下げられないように邪魔する機構を備えて前記危険を防止している。
しかしこの方式のコンロにあっては、カセットボンベ装着状態から離脱状態にするためには前記安全レバーを押し上げねばならず操作が面倒だとか、異常圧安全機構のリセットがリセットボタンをドライバー等で押さなければならず煩雑だなどとして、特許文献１及び特許文献２には、操作つまみを操作して操作軸を回転させることによって、ガス供給路の開閉ができ、また点火装置を作動させてバーナーから放出されるガスに点火するとともにガス供給量を調節し、さらにガスボンベを装着状態から離脱状態にさせることができ、さらにまた操作軸を回転させることによって異常圧安全機構のリセットもできる安全レバーのない「カセットコンロのガスボンベ着脱装置」及び同装置を用いた「カセットコンロ」の発明が開示されている。
また、特許文献３には、
「着脱可能に取付けられたガス容器のノズル部から吐出するガスが作動部分にへ流れるガス通路１を備えたガバナ２と、前記ガス通路の開閉とガス流量の調節を行う弁体３を操作するためガバナに設けられた回動可能な器具栓軸４とを有するガス器具であって、前記ガス容器で押されたとき、ばね力に抗して前進する出没部材５を前記器具栓軸と略平衡に設け、器具栓軸が消火位置にあるときにのみ、ガス容器に押された出没部材を通過させる切欠６を有し、それ以外の位置にあるときは出没部材の通過を阻止する方向へばね付勢された安全レバー７を前記栓軸設けたガス器具用安全装置」
が開示されている。そしてこのガバナは、「容器フランジＦに磁気吸着する磁性回路を構成するヨークとその内側に納められた永久磁石とからなる」ガス容器保持手段を有しており、安全レバーは使用されていない。
【先行技術文献】
【特許文献】
【０００３】
【特許文献１】特許第２７２６９８５号公報
【特許文献２】特許第３４９４７９４号公報
【特許文献３】特開平３−２３３２１１号公報
【発明の概要】
【発明が解決しようとする課題】
【０００４】
上記特許文献１の「カセットコンロのガスボンベ着脱装置」、及び特許文献２の「カセットコンロの安全装置」は、操作つまみ一つで開閉弁を開閉し、バーナーの点火・消火とともにガス供給量の調節を可能にし、さらにカセットボンベの離脱、異常圧安全機構のリセットも可能にしているが、その分構造が複雑となり、製作コストの高騰が懸念される。
また、特許文献３の「ガス器具用安全装置」は、ガス容器（カセットボンベ）に押されたとき、バネ力に抗して前進する出没部材と、出没部材を通過させる切欠を有する安全レバーによって、器具栓軸が消火位置にあるときのみガス容器の装着を可能にしており、特許文献１の発明に比べれば簡便な構造となってはいるが、その構成要素がガバナー内部に設けられているため、組立やメンテナンスが容易でないという問題がある。
本発明は、上記背景技術の問題点に鑑みてなされたもので、ガバナの外部に簡単な構造の安全部材を設けることによって、操作つまみがバーナーへのガス供給位置にあるときには、前記安全部材に備えた嵌合阻止バーがカセットボンベのフランジの前面に当接してカセットコンロの嵌合を不能にする安全部材付きカセットコンロ用ガバナを提供することを課題としている。
【課題を解決するための手段】
【０００５】
本発明者は、上記課題を下記の手段により解決した。
（１）カセットボンベを嵌合し、カセットボンベからのガスのバーナーへの供給路を開閉するとともに、ガスバーナーへの点火、及びガス供給量の調節を行うための操作つまみとを備えたガバナであって、
前記操作つまみがガス供給路を開いた状態の位置にあるときには前記カセットボンベのガバナへの嵌合を不能とし、ガス供給路が閉ざされた状態の位置にあるときには前記カセットボンベのガバナへの装着を可能にする安全部材を備えてなることを特徴とする安全部材付きカセットコンロ用ガバナ。
（２）安全部材は、その前後両端部が同一方向に９０度折り曲げられてガバナへの装着部を形成し、かつ前記装着部にガバナの前後面に回動自在に軸支されるための貫通孔を穿設した板状のアームと、
前記アーム前部の装着部の内側面には、前記操作つまみの裏面に設けられた突起部に当接する突起片を有し、また、前記アーム後部の装着部の側面上部には後方に向かって突設された嵌合阻止バーを有してなり、そのすべてが一体に形成されてなることを特徴とする（１）に記載の安全部材付きカセットコンロ用ガバナ。
（３）安全部材は、前部の装着部の貫通孔に挿通して前記安全部材をガバナに軸支するボルトに捲回された螺旋ばねによって前記後部の装着部の嵌合阻止バーが嵌合しようとするカセットボンベのフランジの前面に当接する方向に回転するよう付勢されており、操作つまみがガス供給路を閉じた状態の位置に回動されたとき、操作つまみの裏面の突起部が前記安全部材の前部の装着部の突起片に当接して押し上げ、安全部材をばね力に抗して反時計方向に回動して前記嵌合阻止バーをカセットボンベのフランジの前面に当接しない位置に移動させるよう構成されてなることを特徴とする（１）又は（２）に記載の安全部材付きカセットコンロ用ガバナ。
【発明の効果】
【０００６】
本発明の安全部材付き卓上ガスコンロによって下記の効果が発揮できる。
〈１〉カセットボンベを嵌合し、カセットボンベからのガスのバーナーへの供給路を開閉するとともに、ガスバーナーへの点火、ガス供給量の調節を行う操作つまみとを備えたガバナであって、
前記操作つまみがガス供給路を開いた状態の位置にあるときには前記カセットボンベのガバナへの嵌合を不能とし、ガス供給路が閉ざされた状態の位置にあるときには前記カセットボンベのガバナへの装着を可能にする安全部材を備えているので、
このガスバーナーを備えたカセットコンロにおいては、操作つまみがいかなる位置にあっても、カセットボンベの装着によるガスバーナーからのガス放出の危険は全くなく、安全で使用しやすい卓上ガスコンロが提供できる。
〈２〉安全部材は、その前後両端部が同一方向に９０度折り曲げられてガバナへの装着部を形成し、かつ前記装着部にガバナの前後面に回動自在に軸支されるための貫通孔を穿設した板状のアームと、
前記アーム前部の装着部の内側面には、前記操作つまみの裏面に設けられた突起部に当接する突起片を有し、また、前記アーム後部の装着部の側面上部には後方に向かって突設された嵌合阻止バーを有してなり、そのすべてが一体に形成されているので、
構造が極めて簡素であり、１枚の金属板を所定の型に打ち抜き必要個所を折り曲げるだけで製造でき、取り付けも前記ガバナへの装着部をガバナの前後面に回動自在に軸支させるとともに、前部の装着部の貫通孔に挿通してガバナに螺着され前記安全部材のし支軸となるボルトに捲回された螺旋ばねによって付勢させるだけでよく、廉価で安全な安全部材付きのカセットコンロ用ガバナが提供できる。
〈３〉安全部材は、前部の装着部の貫通孔に挿通して前記安全部材をガバナに軸支するボルトに捲回された螺旋ばねによって前記後部の装着部の嵌合阻止バーが嵌合しようとするカセットボンベのフランジの前面に当接する方向に回転するよう付勢されており、操作つまみがガス供給路を閉じた状態の位置に回動されたとき、操作つまみの裏面の突起部が前記安全部材の前部の装着部の突起片に当接して押し上げ、安全部材をばね力に抗して反時計方向に回動して前記嵌合阻止バーをカセットボンベのフランジの前面に当接しない位置に移動させるよう構成されているので、このバーナを備えたカセットコンロにおいては、操作つまみがいかなる位置にあっても、カセットボンベの装着によるガスバーナーからのガス放出の危険は全くなく、安全で使用しやすいカセットコンロが提供できる。
【図面の簡単な説明】
【０００７】
【図１】本発明の安全部材付きカセットコンロ用ガバナの外観斜視図（ａ）前方操作つまみ側からの斜視図（ｂ）後方カセットボンベ嵌合部側からの斜視図
【図２】安全部材の外観斜視図（ａ）前方操作つまみ側からの斜視図（ｂ）後方カセットボンベ嵌合部側からの斜視図
【図３】ガバナと操作つまみ部分の正面図（ａ）操作つまみがガスバーナーへのガス供給路を閉じた状態の位置にある場合（ｂ）操作つまみがガス供給路を開いた状態の位置にある場合
【図４】ガバナと操作つまみ部分の後方嵌合部側からの外観斜視図（ａ）操作つまみがガスバーナーへのガス供給路をを閉じた状態の位置にある場合（ｂ）は操作つまみがガス供給路を開いた状態の位置にある場合
【図５】操作つまみがガスバーナーへのガス供給路を開いた状態の位置にある場合のカセットボンベ嵌合不能の説明図
【発明を実施するための形態】
【０００８】
本発明の安全部材付きカセットコンロ用ガバナを実施するための形態を、実施例の図に基づいて説明する。
図１は本発明の安全部材付きカセットコンロ用ガバナの外観斜視図、図２は安全部材の外観斜視図であって、図１、図２とも（ａ）は前方操作つまみ側からの斜視図、（ｂ）は後方カセットボンベ嵌合部側からの斜視図を示している。
また、図３はガバナと操作つまみ部分の正面図、図４はガバナと操作つまみ部分の後方カセットボンベ嵌合部側からの外観斜視図で、いずれも（ａ）は操作つまみがバーナーへのガス供給路をを閉じた状態の位置にある場合、（ｂ）は操作つまみがガス供給路を開いた状態の位置にある場合を示している。
そして図５は操作つまみがガスバーナーへのガス供給路を開いた状態の位置にある場合のカセットボンベ嵌合不能の説明図である。
図において１はガバナ、２は操作つまみ、３は安全部材、４はアーム、４ａ、４ｂは装着部、４ｃは貫通孔、５は突起片、６は嵌合阻止バー、Ｇはカセットボンベ、Ｇａは切り欠き部、Ｇｆはフランジ、Ｏは回動軸を示す。
【０００９】
本発明の安全部材付きカセットコンロ用ガバナ１は、図１に示すように、カセットボンベＧを嵌合し、カセットボンベＧからのガスのバーナーへの供給路を開閉するとともに、ガスバーナーへの点火、ガス供給量の調節を行う操作つまみ２とを備え、かつ、前記操作つまみ２がガス供給路を開いた状態の位置にあるときには前記カセットボンベＧのガバナ１への嵌合を不能とし、ガス供給路が閉ざされた状態の位置にあるときには前記カセットボンベＧのガバナ１への装着を可能にする安全部材３を備えている。
そして、前記安全部材３は、図２に示すように、その前後両端部が同一方向に９０度折り曲げられてガバナ１への装着部４ａ、４ｂを形成し、かつ前記装着部４ａ、４ｂにガバナ１の前後面に回動自在に軸支されるための貫通孔４ｃを穿設した板状のアーム４と、
前記アーム４前部の装着部４ａの内側面には、前記操作つまみ２の裏面に設けられた突起部に当接する突起片５を有し、また、前記アーム４後部の装着部４ｂの側面上部には後方に向かって突設された嵌合阻止バー６を有しており、そのすべてが一体として形成されている。
【００１０】
次に、本発明の安全部材付きガバナ１の作用と動作について、図３〜図５によって説明する。
安全部材３は、前部の装着部４ａの貫通孔４ｃに挿通して前記安全部材３をガバナに軸支して回動軸Ｏとなるボルトに捲回された螺旋ばね（図示せず）によって前記後部の装着部（４ｂ）突切された嵌合阻止バー６が嵌合しようとするカセットボンベＧのフランジＧｆの前面に当接する方向に回転するよう付勢されている。したがって、図３（ｂ）に示すように操作つまみ２がガス供給路を閉じた状態の位置にあるとき、安全部材３は前記ばねによって前記嵌合阻止バー６が嵌合しようとするカセットボンベＧのフランジＧｆの前面に位置して〔図４（ｂ）及び図５参照）〕ガスボンベＧからバーナーへのガス供給路を閉じる状態にあるときへの嵌合は阻止される。
図３（ａ）に示すように操作つまみ２が、ガバナ１のバーナーへのガス供給路を閉じた状態にすると、つまみ２の裏面に設けた突起部（図示せず）が前記安全部材３の前部の装着部４ａの突起片５に当接して突出片５を押し上げるので、安全部材３はばね力に抗して反時計方向に回動して前記嵌合阻止バーをカセットボンベのフランジの前面に当接しない位置に移動させる〔図４（ａ）参照〕。したがって、ガバナ１のガス供給路が閉ざされている場合に限ってのみカセットボンベＧのガバナ１への嵌合が可能となる。
【００１１】
本発明の安全部材付きカセットコンロ用ガバナ１のカセットボンベＧの保持機構としては、カセットボンベＧを確実安定に保持できるものであればよく、特許文献２に記載された永久磁石による磁気吸着によるもの、また特許文献３に開示されているような、カセットボンベＧのフランジ部材内周面の凹設された環状凹部に嵌入して何らかの手段で該内周面に押圧固定する着脱装置によるもの等が使用できる。
【符号の説明】
【００１２】
１：ガバナ
２：操作つまみ
３：安全部材
４：アーム
４ａ、４ｂ：装着部
４ｃ：貫通孔
５：突起片
６：嵌合阻止バー
Ｇ：カセットボンベ
Ｇａ：切欠部
Ｇｆ：フランジ
Ｏ：回動軸
【図１】
2015040690.tif 000003
【図２】
2015040690.tif 000004
【図３】
2015040690.tif 000005
【図４】
2015040690.tif 000006
【図５】
2015040690.tif 000007